(57)【要約】【課題】    公知の競艇場の消波装置は、傘形消波体兼ガードレールをコース側に設けていたので、コースを外れたレース艇の選手が操縦のコントロールを失なってレース艇が消波装置のガードレールに激突した場合、レース艇のコックピットのカウルを超えて投出された選手がガードレールを超えて消波装置の鋼材等に衝突して負傷し、又死亡事故に至る場合もある。【解決手段】  波返し傘形消波体兼ガードレールを改良し、ガードレール取付板をコースと反対側に設け、断面鋭角三角形本体の傾斜辺長手方向中間部のＵ字形凹部内に第１連結用Ｕ形鋼連結金具を、上端段部に第２連結用Ｕ形鋼連結金具を夫々設け、該鋭角三角形本体下面に金属製４角形組立金具を設け、下端が該組立金具の両端下部に枢着されたガードレールを有するガードレール取付板を圧縮スプリングで常時コース方向に附勢し、浮力調整部を設けた競艇場における緩衝機能を有する消波装置である。【選択図】  図１
2010063498.tif 000002
【特許請求の範囲】
【請求項１】
所要長さと幅と高さとを有するガラス繊維強化プラスチック製断面鋭角三角形本体と、該断面鋭角三角形本体の傾斜辺長手方向中間部に形成されたＵ字形凹部と、上端に形成された段部と、該Ｕ字形凹部内に設けられた第１連結用Ｕ形鋼連結金具と、該段部に設けられた第２連結用Ｕ形鋼連結金具と、該第１連結用Ｕ形鋼連結金具と該第２連結用Ｕ形鋼連結金具との下面に一体に設けられた金属製４角形組立金具と、該金属製４角形組立金具の両端枠後部に突設された支持片に下端が枢着されたガードレール取付板と、該ガードレール取付板の前面に設けられたガードレールと、該ガードレール取付板の両端下部近くに形成された貫通孔に貫通され、内端が該第２連結用Ｕ形鋼連結金具に連結され、外端が該ガードレールの下端所要箇所に枢着されたガイドボルトと、該ガイドボルトに巻付けられ、該ガードレールを常時コース方向に附勢する圧縮スプリングと、該金属製４角形組立金具の底面に設けられた浮力調整部とから成る競艇場における緩衝機能を有する消波装置。
【請求項２】
該金属製４角形組立金具は、該断面鋭角三角形本体の長手方向に対応する長さと幅とに対応する枠を有し、該枠の長手方向に一定間隔で補強枠を設け、該後端部に所要の高さの逆Ｌ字形突起部を形成し、該断面鋭角三角形本体の該Ｕ字形凹部の下面を該第１連結用Ｕ形鋼連結金具と共に該両端枠に固着し、該段部に該第２連結用Ｕ形鋼連結金具と共に該両端枠に固着されて成る請求項１記載の競艇場における緩衝機能を有する消波装置。
【請求項３】
該金属製４角形組立金具の下部所要箇所に設けられる浮力調整部は、略長方形枠体内上部にフランジを設け、該フランジの下方に箱体を一体に設け、該長方形箱体内の所要箇所に水平仕切板を設けてその上部に浮力体を設け、その下部を水タンクとし、該略長方形枠体から該水タンクに向かって給水パイプと排水パイプとを設けて成る請求項１及び２記載の競艇場における緩衝機能を有する消波装置。
【発明の詳細な説明】
【技術分野】
【０００１】
この発明は、消波装置に関し、更に詳しくは、競艇場における緩衝機能を有する消波装置に関する。
【背景技術】
【０００２】
競艇場においては、６隻のレース艇が競走水面中央に３００ｍ間隔で浮遊状態に係留された２個のターンマーク（浮標）を、平均約８０ｋｍ／ｈで、直線航走では高速約８０ｋｍ／ｈで楕円形を描きながら所要回数一斉に航走して競争する。
【０００３】
これらレース艇が航走して造波する引き波の他に、近隣を航走する他の船舶が造波する波、風等の自然条件により発生する波が競艇場の岸壁、ポール、塔、その他の機器に衝突して造波し、跳返って来た返し波等により各レース艇の円滑な航走が邪魔され、公平なレースが出来なったり、各レース艇の転覆の原因となる場合もある。
【０００４】
従来は、レースコース．を外れて消波装置に衝突することがあっても、緩衝装置を有するガードレールによってレース艇と選手（操船者）は、岸壁、ポール、塔、その他の機器に衝突することが無く、安全にレースを行うことが出来た。
【０００５】
従来提案されている競艇場における消波装置としては、
【特許文献１】特開平５―３１７５３０、
【特許文献２】特開平１１―１０４３６４、
【特許文献３】特開平２００１―１２０８５７、
【特許文献４】特開平２００１―１６４５３７、
【特許文献５】特開平２００１―１７０３７１、
【特許文献６】特開２００４―２８８３３４、
【特許文献７】特開２００５―３４２２６８、等があげられる。
【発明の開示】
【発明が解決しようとする課題】
【０００６】
（１）しかし近年モンキーターン（ターンマーク旋回時に競艇選手がレース艇の座席から立膝状態で操縦する）による旋回やレース艇エンジン出力増大により、旋回速度が増したので、選手がコントロールを失ない、又選手の身体の位置は、消波装置のガードレール上端より高い位置にあるから、レースコースを外れ、このままの体勢で消波装置に激突した場合、選手がレース艇のコックピットから投出され、ガードレールの上を飛越えて消波装置の鋼材やポール等に衝突する危険性が危惧される。
【０００７】
（２）この様にレース艇が消波装置のガードレールに激突し、レース艇のコックピットから投出された選手はガードレールを超えて消波装置の鋼材やポール等に衝突して負傷し、又最悪の場合は死亡事故に至るケースもある。
【０００８】
（３）そこで、レース艇が衝突した場合を想定して、消波装置の波返し兼ガードレールにレース艇から落下した選手の骨折等を防ぐために、金属部分をマット材等で被覆しているが、クッション材等の材料費とクッション材等の被覆作業は相当なものになるのに、その効果は充分でない。
【０００９】
（４）これを防ぐため、単純に消波装置のガードレールを嵩上げすることが考えられるが、ガードレールの質量増加により消波装置全体の浮力バランスに悪影響が出て消波装置の全面投影面積が大きくなり、消波装置が風による影響も受け易くなる。
【００１０】
（５）図１０に示す通り、前述の消波装置は、Ｕ字形消波空間３４のコース側にガードレール取付板３０を設け、それにガードレール３２を一体に設けたので、コースを外れたレース艇が衝突した場合、ガードレール３２が破壊し易い。
【００１１】
（６）現在競艇場の競走水面の岸壁等に縦方向に接続して設置される複数個の消波装置の１個の長さは４〜６ｍで、幅は２ｍであり、多機能となっているからこれ以上は小さくは出来ない。
【００１２】
（７）各消波装置は、２個の傘形体を相対して設け、それらの間にＵ字形消波空間３４を形成し、コース側の傘形体に波返し兼ガードレール３２をコース側に往復動自在に設け、レース艇が衝突した場合、その衝撃を緩和する作用をさせている。
【００１３】
（８）しかし海水の競艇場水面に設置した消波装置の場合、その消波装置の底面に牡蠣が付着して増殖し易く、該消波装置が海中に沈み、消波機能が損なわれるので該消波装置を陸揚げし、レースに影響を与えない様に限られた期間内に人海戦術で除去しなければならない。
【００１４】
（９）更に除去した牡蠣殻等は、自治体によっては産業廃棄物として廃棄処分できないので焼却処分するしかなく、従って焼却処分される牡蠣殻の量が限定され、別途問題を提起しており、しかも牡蠣殻除去作業によりレースを中断できないので廃棄処理作業は、前述の通り迅速に実施する必要がある。
【００１５】
（１０）そしてレース艇が衝突して破損した消波装置の波返し兼ガードレール又は他の部分の修理或いは交換作業は、淡水面又は海水面上で実施されるから作業がし難く、難工事であり、緊急に対応不可能である。
【課題を解決するための手段】
【００１６】
この発明は、前述の課題を解決するものであり、この発明の第１要旨は、所要長さと幅と高さとを有するガラス繊維強化プラスチック製断面鋭角三角形本体と、該断面鋭角三角形本体の傾斜辺長手方向中間部に形成されたＵ字形凹部と、上端に形成された段部と、該Ｕ字形凹部内に設けられた第１連結用Ｕ形鋼連結金具と、該段部に設けられた第２連結用Ｕ形鋼連結金具と、該第１連結用Ｕ形鋼連結金具と該第２連結用Ｕ形鋼連結金具との下面に一体に設けられた金属製４角形組立金具と、該金属製４角形組立金具の両端枠後部に突設された支持片に下端が枢着されたガードレール取付板と、該ガードレール取付板の前面に設けられたガードレールと、該ガードレール取付板の両端下部近くに形成された貫通孔に貫通され、内端が該第２連結用Ｕ形鋼連結金具に連結され、外端が該ガードレールの下端所要箇所に枢着されたガイドボルトと、該ガイドボルトに巻付けられ、該ガードレールを常時コース方向に附勢する圧縮スプリングと、該金属製４角形組立金具の底面に設けられた浮力調整部とから成る競艇場における緩衝機能を有する消波装置である。
【００１７】
この発明の第２要旨は、該金属製４角形組立金具は、該断面鋭角三角形本体の長手方向に対応する長さと幅とに対応する枠を有し、該枠の長手方向に一定間隔で補強枠を設け、該後端部に所要の高さの逆Ｌ字形突起部を形成し、該断面鋭角三角形本体の該Ｕ字形凹部の下面を該第１連結用Ｕ形鋼連結金具と共に該両端枠に固着し、該段部に該第２連結用Ｕ形鋼連結金具と共に該両端枠に固着されて成る競艇場における緩衝機能を有する消波装置である。
【００１８】
この発明の第３要旨は、金属製４角形組立金具の下部所要箇所に設けられる浮力調整部は、略長方形枠体内上部にフランジを設け、該フランジの下方に箱体を一体に設け、該箱体内の所要箇所に水平仕切板を設けてその上部に浮力体を設け、その下部を水タンクとし、該略長方形枠体から該水タンクに向かって給水パイプと排水パイプとを設けて成る競艇場における緩衝機能を有する消波装置である。
【発明の効果】
【００１９】
（１）この発明に係る緩衝機能を有する消波装置は、傘形波返し兼消波体のコース側に設けたガードレール取付板をコース側と反対側に設け、その下端が組立金具に枢着されたのでコースを外れたレース艇が該ガードレールに衝突した場合、該ガードレール取付板の下端を枢支点として枢着された該ガードレール取付板がコース側と反対側に部分的に回動し、該レース艇を受止めて選手を保護する。
【００２０】
（２）又Ｕ字形凹部と上端に形成された段部とに設けられた連結用Ｕ形鋼が、断面鋭角三角形本体の表面から全く突出しないので、若し競艇選手が重心を失ってレース艇のコックピットから飛出して該消波装置に投付けられたとしても負傷を防止可能となる。
【００２１】
（３）従って該消波装置がら突出する部材が無くなったので、従来の様にクッション材で被覆する必要が全くなくなる。
【００２２】
（４）この様に該断面鋭角三角形本体の表面から全く突出しないので金属製４角形組立金具の下部に設けられた浮力調整部内下部の水タンクに給水パイプと排水パイプを介して水を供給又は排水することにより、緩衝機能を有する消波装置の浮力調整が容易となる。
【００２３】
（５）加えてこの発明の緩衝機能を有する消波装置は、構成が簡単なので部品点数が少なくなり、製作と所要競艇場への運搬、取付工事が容易となるので、工期が公知の消波装置と比較して格段に短縮可能となる。
【００２４】
（６）更に消波装置の底部が平らな面となっているので、牡蠣が付着し難くなり、付着しても除去が容易となる
【００２５】
（７）又この発明の緩衝機能を有する消波装置は、部品点数が公知の消波装置と比較して極端に少なくなったので、製作、組立が容易となる。
【００２６】
（８）最後にガードレール取付板のコース側面に描いた宣伝・広告等がスタンドの観客席から容易に視認可能となる。
【発明を実施するための最良の形態】
【００２７】
この発明の競艇場における緩衝機能を有する消波装置を実施するための最良の形態は、ガラス繊維強化プラスチック製断面鋭角三角形本体と、該断面鋭角三角形本体の傾斜辺長手方向中間部に形成されたＵ字形凹部と、上端に形成された段部と、該Ｕ字形凹部内に設けられた第１連結用Ｕ形鋼連結金具と、該段部に設けられた第２連結用Ｕ形鋼連結金具と、該第１連結用Ｕ形鋼連結金具と該第２連結用Ｕ形鋼連結金具との下面に一体に設けられた金属製４角形組立金具と、該金属製４角形組立金具の両端枠後部に突設された支持片に下端が枢着されたガードレール取付板と、該ガードレール取付板の前面に設けられたガードレールと、該ガードレール取付板の両端下部近くに形成された螺合孔に螺合され、内端が該第２連結用Ｕ形鋼連結金具に連結され、外端が該ガードレールの下端所要箇所に枢着されたガイドボルトと、該ガイドボルトに巻付けられ、該ガードレールを常時コース方向に附勢する圧縮スプリングと、該金属製４角形組立金具の底面に設けられた浮力調整部とから成る競艇場における緩衝機能を有する消波装置である。
【実施例】
【００２８】
図１〜４において、請求項１記載の発明に係る競艇場における緩衝機能を有する消波装置Ａの実施例を説明する。該消波装置Ａは、所要長さと幅と高さとを有するガラス繊維強化プラスチック製断面鋭角三角形本体１０の傾斜辺１０ａの長手方向中間部にＵ字形凹部１０ｃを形成し、その上端に段部１０ｄを形成する。
【００２９】
図３に示す通り、該ガラス繊維強化プラスチック製断面鋭角三角形本体１０の該傾斜辺１０ａの長手方向に一定間隔で複数の楕円形波落下孔１０ｂ、１０ｂ・・・を形成する。
【００３０】
請求項２記載の該ガラス繊維強化プラスチック製断面鋭角三角形本体１０内に設けられる金属製４角形組立金具１２は、該断面鋭角三角形本体１０の両端枠１０ｅと、該断面鋭角三角形本体１０の後端１０ｆから前方の該傾斜辺１０ａの下面１０ａ’に接近する迄の長さを有する。
【００３１】
図５、６において、該断面鋭角三角形本体１０内に設けられる該金属製４角形組立金具１２の該両端枠１２ａの後端に逆Ｌ字形支持板１２ｂを垂直に設け、且つ該両端枠１２ａ、１２ａの後端に一対の枢支片１２ｃ、１２ｃを水平に突設し、該枢支片１２ｃ、１２ｃの中心に貫通孔１２ｄ、１２ｄを夫々穿設する。
【００３２】
図１に示す通り、該断面鋭角三角形本体１０内にその後部から図５、６の該金属製４角形組立金具１２を導き、その該逆Ｌ字形支持板１２ｂ、１２ｂを該断面鋭角三角形本体１０の該Ｕ字形凹部１０ｂ、１０ｂの下面に接触させる。
【００３３】
該断面鋭角三角形本体１０の該Ｕ字形凹部１０ｂ内に金属製第１連結用Ｕ形鋼連結金具２０を、該段部１０ｃ上に金属製第２連結用Ｕ形鋼連結金具２２を夫々導き、該第１連結用Ｕ形鋼連結金具２０で該両端枠１０ｅの対応箇所に穿設された貫通孔２０ａと、該第２連結用Ｕ形鋼連結金具２２で該両端枠１０ｅ、１０ｅの対応箇所に穿設された貫通孔２２ａ、２２ａ及び該逆Ｌ字形支持板１２ｂ、１２ｂとの該貫通孔１２ｂ内に連結ボルト２４、圧縮ばね２６、ナット３０とを介して該断面鋭角三角形本体１０に該金属製４角形組立金具１２を一体に結合する。
【００３４】
図１に示す様に、該金属製第１連結用Ｕ形鋼連結金具２０と該第２連結用Ｕ形鋼連結金具２２とは、同様な形状であるが、後者のＵ字形片２２ａで該連結ボルト２４を嵌合する箇所に該連結ボルト２４を貫通できる直径の貫通孔２２ｂを形成する。
【００３５】
該ガードレール取付板３０で、該貫通孔２２ｂに対応する箇所に該連結ボルトト２４を遊嵌させる直径を有する貫通孔３０ａを穿設し、該貫通孔３０ａに遊嵌された該ボルト２４の露出部に圧縮ばね２６を巻付け、該ボルト２４の先端にナット２６を螺合して該ガードレール取付板３０を常時コース側に圧縮する。
【００３６】
該ガードレール取付板３０の正面（スタンド側）に、所望の宣伝・広告等を描くものとする。
【００３７】
図１、７〜９において、請求項３に記載された浮力調整部４０は、該金属製４角形組立金具１２の下部に一体に設けられる。該浮力調整部４０は、該金属製４角形組立金具１２の長手方向の長さに対応する長さ４２と、それより狭い幅４２ｂとを有する長方形フランジ４２と、該長方形フランジ４２の下面に長方形箱体４４を一体に設けて成る。
【００３８】
該長方形箱体４４内の所要下部に中仕切板４４ａを水平に設けてその上部をフロート室４４ｂとし、その下部を水タンク４４ｃとし、該フロート室４４ｂ内に例えば硬質ウレタン、発泡スチレン等のフロート材４４ｄを充填し、該長方形フランジ４２から該中仕切板４４ｅを貫通して水パイプ４６と排水パイプ４８とを所要間隔で設ける。
【００３９】
該給水パイプ４６から該水タンク４４ｃ内に給水し、又は該排水パイプ４８から排水して該消波装置Ａの競艇場水面に対するレベル調整が容易となる。
【図面の簡単な説明】
【００４０】
【図１】この発明に係る競艇場における緩衝機能を有する消波装置の実施例の一部断面右面略図；
【図２】図１に示す消波装置からガードレールを取除いた実施例の一部透視平面略図；
【図３】図２に示す消波装置の断面鋭角三角形本体の平面略図；
【図４】図３の断面鋭角三角形本体のＩＶ―ＩＶ線断面略図；
【図５】断面鋭角三角形本体に組込まれる金属製４角形組立金具の一部透視拡大側面略図；
【図６】図５の金属製４角形組立金具を上から見た一部透視平面略図；
【図７】図１の消波装置の下部に設けられる浮力調整部の一部透視平面略図；
【図８】図７の浮力調整部の右断面図；
【図９】図７の浮力調整部を下側から見た一部透視側面図；
【図１０】公知の消波装置の右側面略図。
【符号の説明】
【００４１】
Ａ・・・競艇場における緩衝機能を有する消波装置；
１０・・・ガラス繊維強化プラスチック製断面鋭角三角形本体；
１０ａ・・・傾斜辺；
１０ａ’・・・下面；
１０ｂ・・・楕円形波落下孔；
１０ｃ・・・Ｕ字形凹部；
１０ｄ・・・段部；
１０ｅ・・・両端枠；
１０ｆ・・・後端；
１２・・・金属製４角形組立金具；
１２ａ・・・組立金具の両端枠；
１２ｂ・・・逆Ｌ字形支持板；
１２ｃ、１２ｄ・・・補強板；
１２ｅ・・・枢支片；
１２ｆ・・・貫通孔；
２０・・・金属製第１連結用Ｕ形鋼連結金具；
２０ａ・・・ボルト貫通孔；
２２・・・金属製第２連結用Ｕ形鋼連結金具；
２２ａ・・・ボルト貫通孔；
２４・・・ボルト；
２６・・・圧縮ばね；
２８・・・ナット；
３０・・・ガードレール取付板；
３０ａ・・・嵌合孔；
３２・・・ガードレール；
３４・・・Ｕ字形消波空間；
４０・・・浮力調整部；
４２・・・長方形フランジ；
４２ａ・・・長方形フランジの長さ；
４２ｂ・・・長方形フランジの幅；
４４・・・長方形箱体；
４４ａ・・・中仕切板；
４４ｂ・・・フロート室；
４４ｃ・・・水タンク；
４４ｄ・・・フロート材；
４６・・・水パイプ；
４８・・・排水パイプ。
【図１】
2010063498.tif 000003
【図２】
2010063498.tif 000004
【図３】
2010063498.tif 000005
【図４】
2010063498.tif 000006
【図５】
2010063498.tif 000007
【図６】
2010063498.tif 000008
【図７】
2010063498.tif 000009
【図８】
2010063498.tif 000010
【図９】
2010063498.tif 000011
【図１０】
2010063498.tif 000012